(57)【要約】【課題】  自機と電子メールの送信先との間でエラーメールのループが形成されることを防止することが可能な電子メール通信装置を提供する。【解決手段】  電子メール通信機能を備えるネットワーク複合機１を構成するＩＦＡＸ制御部１９は、電子メールを送受信する電子メール送受信部１９Ａと、受信された電子メールをデコード処理する電子メール処理部１９Ｂと、電子メールがデコード処理される際にデコードエラーを検出するエラー検出部１９Ｃと、電子メールを構成するオリジナルメッセージ部２０４に含まれるオリジナルメッセージの送信元のメールアドレスを抽出する送信元抽出部１９Ｄと、デコードエラーが検出された場合において、オリジナルメッセージの送信元のメールアドレスと自機のメールアドレスとが一致するときにはエラーメールの返信を禁止するエラーメール返信部１９Ｅとを備える。【選択図】  図１
2009277123.tif 000002
【特許請求の範囲】
【請求項１】
電子メールを送受信する送受信手段と、
前記送受信手段により受信された電子メールを処理する処理手段と、
前記処理手段により前記電子メールが処理される際に、処理エラーを検出するエラー検出手段と、
前記電子メールを構成するオリジナルメッセージ部に含まれるオリジナルメッセージの送信元を抽出する送信元抽出手段と、
前記エラー検出手段により処理エラーが検出された場合において、前記オリジナルメッセージの送信元が自機であるときにはエラーメールの返信を禁止するエラーメール返信手段と、を備える、ことを特徴とする電子メール通信装置。
【請求項２】
前記エラーメール返信手段は、前記エラー検出手段により処理エラーが検出された場合において、前記送信元抽出手段により抽出された前記オリジナルメッセージの送信元が自機でないときにはエラーメールの返信を許可する、ことを特徴とする請求項１に記載の電子メール通信装置。
【請求項３】
前記送信元抽出手段は、前記オリジナルメッセージ部に含まれる前記オリジナルメッセージの送信元のメールアドレスを抽出し、
前記エラーメール返信手段は、前記送信元抽出手段により抽出された前記メールアドレスと、自機のメールアドレスとを比較して、前記オリジナルメッセージの送信元が自機であるか否かを判断する、ことを特徴とする請求項１又は２に記載の電子メール通信装置。
【請求項４】
前記処理手段は、前記電子メールをデコード処理し、
前記エラー検出手段は、デコードエラーを検出する、ことを特徴とする請求項１〜３のいずれか１項に記載の電子メール通信装置。
【発明の詳細な説明】
【技術分野】
【０００１】
本発明は、エラーメールを返信することができる電子メール通信装置に関する。
【背景技術】
【０００２】
近年、ネットワーク通信技術の進展及びネットワーク環境の普及に伴い、ネットワーク対応されたスキャナ、プリンタ、及びファクシミリ等を備えたネットワーク複合機（ＭＦＰ：Ｍｕｌｔｉ  Ｆｕｎｃｔｉｏｎａｌ  Ｐｅｒｉｐｈｅｒａｌ）が広く用いられるようになっている。このようなネットワーク複合機には、スキャンした原稿を電子メールの添付ファイル（ＰＤＦ、ＴＩＦＦ形式等）として、指定されたメールアドレスに送信する所謂インターネットＦＡＸ（以下「ＩＦＡＸ」ともいう）機能を備えたものがある。
【０００３】
ＩＦＡＸ機能を備えたネットワーク複合機は、設定された時間毎にＰＯＰサーバから電子メールを受信し、添付ファイルを展開してプリントアウトする。ここで、ＩＦＡＸを受信したネットワーク複合機は、電子メールのＭＩＭＥ（Ｍｕｌｔｉｐｕｒｐｏｓｅ  Ｉｎｔｅｒｎｅｔ  Ｍａｉｌ  Ｅｘｔｅｎｓｉｏｎｓ）デコード処理、又は添付ファイルのデコード処理ができない場合、電子メールの送信元に対して、処理不能メールとして通知、すなわちエラーメールを返信する。その際に、多くのネットワーク複合機では、オリジナルの電子メール（オリジナルメッセージ）を添付ファイルとしてエラーメールに添付して返信する。
【０００４】
そのため、例えば、自機が送信したＩＦＡＸが送信先（すなわち受信側）でデコード処理できない場合には、自機が送信したオリジナルの電子メールがそのままエラーメールに添付されて返信されてくることとなる。ここで、特許文献１には、自機のデータを識別できる情報を自動的に付加して電子メールを送信するとともに、電子メールが受信された場合、受信された電子メールが、自機が送信した電子メールに対するエラー情報を伝えるものであるか否かを判断し、自機が送信した電子メールに対するエラー情報を伝えるものであると判断された場合には、受信された内容（すなわち、自機が以前に送信した内容）を印字しないようにしたデータ通信装置が開示されている。このデータ通信装置によれば、通信エラーの発生に伴う無駄な印字を省くことができる。
【特許文献１】特開２００４−８８３００号公報
【発明の開示】
【発明が解決しようとする課題】
【０００５】
上述したデータ通信装置によれば、自機が送信した電子メールに対するエラーメールを受信したときに、自機が送信したオリジナルデータが印字されることを防止することができる。しかしながら、このデータ通信装置では、例えばオリジナルの添付ファイルが元々壊れていた場合又は送信途中で壊れた場合には、エラーメールに添付されて送り返されてきたオリジナルの添付ファイルのデコード処理ができないため、自機が送信した添付ファイルが壊れていたにもかかわらず、エラーメールの送信元に対して、処理不能メールとして通知、すなわちエラーメールを返信してしまうおそれがある。その結果、データ通信装置と電子メールの送信先との間でエラーメールのループが形成されるおそれがあった。
【０００６】
本発明は、上記問題点を解消する為になされたものであり、自機と電子メールの送信先との間でエラーメールのループが形成されることを防止することが可能な電子メール通信装置を提供することを目的とする。
【課題を解決するための手段】
【０００７】
本発明に係る電子メール通信装置は、電子メールを送受信する送受信手段と、送受信手段により受信された電子メールを処理する処理手段と、処理手段により電子メールが処理される際に、処理エラーを検出するエラー検出手段と、電子メールを構成するオリジナルメッセージ部に含まれるオリジナルメッセージの送信元を抽出する送信元抽出手段と、エラー検出手段により処理エラーが検出された場合において、オリジナルメッセージの送信元が自機であるときにはエラーメールの返信を禁止するエラーメール返信手段と、を備えることを特徴とする。
【０００８】
本発明に係る電子メール通信装置によれば、受信された電子メールを処理する際に処理エラーが検出された場合であっても、電子メールを構成する、例えば電子メールに添付されたオリジナルメッセージの送信元が自機であるときにはエラーメールの返信が禁止される。そのため、自機と電子メールの送信先との間でエラーメールのループが形成されることを防止することが可能となる。
【０００９】
一方、上記エラーメール返信手段は、エラー検出手段により処理エラーが検出された場合において、送信元抽出手段により抽出されたオリジナルメッセージの送信元が自機でないときにはエラーメールの返信を許可することが好ましい。
【００１０】
このようにすれば、自機と送信先との間でエラーメールのループが形成されない場合には、電子メールの送信元に対して、電子メールが処理不能であることを通知することが可能となる。
【００１１】
本発明に係る電子メール通信装置では、送信元抽出手段が、オリジナルメッセージ部に含まれるオリジナルメッセージの送信元のメールアドレスを抽出し、エラーメール返信手段が、送信元抽出手段により抽出されたメールアドレスと、自機のメールアドレスとを比較して、オリジナルメッセージの送信元が自機であるか否かを判断することが好ましい。
【００１２】
この場合、抽出されたオリジナルメッセージの送信元のメールアドレスと自機のメールアドレスとが比較され、オリジナルメッセージの送信元が自機であるか否かが判断される。そのため、オリジナルメッセージの送信元が自機であるか否かを的確に判断することが可能となる。
【００１３】
本発明に係る電子メール通信装置では、処理手段が電子メールをデコード処理し、エラー検出手段が、デコードエラーを検出することが好ましい。
【００１４】
このようにすれば、受信された電子メールのデコードエラー、及び該電子メールに添付されている添付ファイルのデコードエラーを的確に検出することが可能となる。
【発明の効果】
【００１５】
本発明によれば、受信された電子メールを処理する際に処理エラーが検出された場合であっても、オリジナルメッセージの送信元が自機であるときには、エラーメールの返信を禁止する構成としたので、自機と電子メールの送信先との間でエラーメールのループが形成されることを防止することが可能となる。
【発明を実施するための最良の形態】
【００１６】
以下、図面を参照して本発明の好適な実施形態について詳細に説明する。なお、各図において、同一要素には同一符号を付して重複する説明を省略する。また、ここでは、実施形態に係る電子メール通信装置として、電子メール通信機能を有するネットワーク複合機を例にして説明する。
【００１７】
まず、図１を用いて、実施形態に係るネットワーク複合機１の構成について説明する。図１は、ネットワーク複合機１の構成を示すブロック図である。
【００１８】
ネットワーク複合機１は、電子メールを利用してＩＰ網経由で画像データを送受信するＩＦＡＸ機能に加え、ネットワーク対応されたスキャナ、プリンタ、コピー、及びファクシミリの各機能を有するものである。また、ネットワーク複合機１は、ＩＦＡＸで受信した電子メール、又は該電子メールに添付されている画像ファイルが処理不能な場合に、送信元に対してエラーメールを返信する機能を有している。これらの各機能を実現するためにネットワーク複合機１は、制御部１０、操作部１１、表示部１２、読取部１３、記録部１４、コーデック１５、画像記憶部１６、モデム１７、ＮＣＵ１８、ＩＦＡＸ制御部１９、Ｗｅｂサーバ２１、及び、ＬＡＮインターフェース２２等を備えている。なお、各部は信号線２３で相互に通信可能に接続されている。
【００１９】
制御部１０は、演算を行うマイクロプロセッサ、マイクロプロセッサに各処理を実行させるためのプログラム等を記憶するＲＯＭ、演算結果などの各種データを一時的に記憶するＲＡＭ、及びデータがバックアップされているバックアップＲＡＭ等により構成されている。制御部１０は、ＲＯＭに記憶されているプログラムを実行することにより、以下に説明するネットワーク複合機１を構成する各部の機能を実現するとともに、ネットワーク複合機１を構成するハードウェアを統合的に制御する。
【００２０】
操作部１１は、ネットワーク複合機１の各機能を利用するために用いられる複数のキー、例えば、テンキー、短縮キー、スタートキー、ストップキー、及び各種のファンクションキー等を備えている。操作部１１は、ネットワーク複合機１のユーザによる、ＩＦＡＸ機能を呼び出す操作、及び送信先のメールアドレスを入力する操作等を受け付ける。ここで、送信原稿をＩＦＡＸで他のネットワーク複合機等に送信する場合、ユーザは、送信原稿をセットするとともに、ファンクションキー等を操作してＩＦＡＸ機能を呼び出し、テンキー又は短縮キー等を用いて送信先のメールアドレスを入力した後、スタートキーを押下げることによりＩＦＡＸ送信を行うことができる。
【００２１】
表示部１２は、ＬＣＤ等を用いた表示装置であり、ネットワーク複合機１の動作状態及び／又は各種設定内容等を表示する。読取部１３は、光源及びＣＣＤ等によって構成されており、紙文書等の原稿を設定された副走査線密度に応じてライン毎に読み取り、画像データを生成する。なお、読取部１３で生成された画像データは記録部１４又はコーデック１５等に出力される。記録部１４は、電子写真方式のプリンタであり、読取部１３により読み取られた画像データ、及びＩＦＡＸ、通常のＦＡＸ等で受信された画像データを用紙にプリントアウトする。
【００２２】
コーデック１５は、読取部１３で読み取られた画像データを符号化圧縮（以下、単に「符号化」という）するとともに符号化されている画像データを復号する。画像記憶部１６は、ＤＲＡＭ等で構成されており、コーデック１５で符号化された画像データ、及びファクシミリ受信された画像データ等を記憶する。モデム（変復調器）１７は、ディジタル信号とアナログ信号との間の変復調を行う。また、モデム１７は、ディジタル命令信号（ＤＣＳ）等の各種機能情報の発生及び検出を行う。ＮＣＵ（Ｎｅｔｗｏｒｋ  Ｃｏｎｔｒｏｌ  Ｕｎｉｔ）１８は、モデム１７と接続されており、モデム１７と公衆交換電話網（ＰＳＴＮ）５０との接続を制御する。また、ＮＣＵ１８は、送信先のファクシミリ番号に対応した呼出信号の送出、及びその着信を検出する機能を備えている。
【００２３】
ＩＦＡＸ制御部１９は、インターネット環境を利用したＩＦＡＸ機能を司る。ＩＦＡＸ制御部１９は、送信原稿をＴＩＦＦ形式等の画像データとして電子メールに添付し、メールアドレス宛てに送信する。また、ＩＦＡＸ制御部１９は、設定された時間毎にＰＯＰサーバから電子メールを受信して添付ファイルをプリントアウトする。さらに、ＩＦＡＸ制御部１９は、受信した電子メール、又は該電子メールの添付ファイルが処理不能な場合に、ＩＦＡＸの送信元に対してエラーメールを返信する。ただし、ＩＦＡＸ制御部１９は、受信した電子メールがエラーメールであり、該エラーメールに添付されているオリジナルメッセージが自機から送信されたものであるときには、該エラーメールを処理することができない場合であっても、ＩＦＡＸの送信元に対してエラーメールを返信することを禁止する。そのため、ＩＦＡＸ制御部１９は、電子メール送受信部１９Ａ、電子メール処理部１９Ｂ、エラー検出部１９Ｃ、送信元抽出部１９Ｄ、及びエラーメール返信部１９Ｅを備えている。
【００２４】
電子メール送受信部１９Ａは、ＳＭＴＰ（Ｓｉｍｐｌｅ  Ｍａｉｌ  Ｔｒａｎｓｆｅｒ  Ｐｒｏｔｏｃｏｌ）に従って電子メールを送信する機能、及び、ＰＯＰ（Ｐｏｓｔ  Ｏｆｆｉｃｅ  Ｐｒｏｔｏｃｏｌ）に従って電子メールを受信する機能を有している。電子メール送受信部１９Ａは、ＩＦＡＸ、すなわち画像ファイルを添付した電子メールを送信するとともに、設定された時間毎にＰＯＰサーバから電子メールを受信する。すなわち、電子メール送受信部１９Ａは、特許請求の範囲に記載の送受信手段として機能する。なお、電子メール送受信部１９Ａで受信された電子メールは、電子メール処理部１９Ｂに出力される。
【００２５】
電子メール処理部１９Ｂは、電子メール送受信部１９Ａで受信された電子メールのＭＩＭＥデコード処理、及び該電子メールの添付ファイルのデコード処理を行う。すなわち、電子メール処理部１９Ｂは、特許請求の範囲に記載の処理手段として機能する。
【００２６】
エラー検出部１９Ｃは、電子メール処理部１９Ｂにおいて電子メールがＭＩＭＥデコード処理される際、及び該電子メールの添付ファイルがデコード処理される際に、デコードエラー（処理エラー）を検出する。すなわち、エラー検出部１９Ｃは、特許請求の範囲に記載のエラー検出手段として機能する。なお、エラー検出部１９Ｃによるデコードエラーの検出結果は、エラーメール返信部１９Ｅに出力される。
【００２７】
送信元抽出部１９Ｄは、電子メールを構成するオリジナルメッセージ部に含まれるＦｒｏｍフィールドを検索し、該Ｆｒｏｍフィールドから、オリジナルメッセージの送信元のメールアドレスを抽出する。すなわち、送信元抽出部１９Ｄは、特許請求の範囲に記載の送信元抽出手段として機能する。なお、送信元抽出部１９Ｄにより抽出されたオリジナルメッセージの送信元のメールアドレスは、エラーメール返信部１９Ｅに出力される。
【００２８】
エラーメール返信部１９Ｅは、エラー検出部１９Ｃによりデコードエラーが検出され、かつ、送信元抽出部１９Ｄにより抽出されたメールアドレスと自機のメールアドレスとが一致しない場合、すなわちオリジナルメッセージの送信元が自機ではない場合に、エラーメールを返信する。一方、エラーメール返信部１９Ｅは、エラー検出部１９Ｃによりデコードエラーが検出された場合であっても、送信元抽出部１９Ｄにより抽出されたメールアドレスと自機のメールアドレスとが一致する場合、すなわちオリジナルメッセージの送信元が自機である場合には、エラーメールの返信を禁止し、エラーメールを返信しない。すなわち、エラーメール返信部１９Ｅは、特許請求の範囲に記載のエラーメール返信手段として機能する。
【００２９】
その他、Ｗｅｂサーバ２１は、例えばＨＴＭＬで記述されたホームページ、ログインページ、及びファクシミリ操作ページ等のデータに対して、クライアント端末からアクセスして所定のＨＴＴＰタスクを実行することを可能にする。ＬＡＮインターフェース２２は、ルータ３０等が接続されたＬＡＮ５１に接続され、インターネット５２からの信号をルータ３０を介して受信するとともに、ＬＡＮ５１に対して信号やデータを送信する。ＬＡＮインターフェース２２は、信号変換及びプロトコル変換等のインターフェース処理を実行するとともに、データ通信中の通信エラーを検出する。
【００３０】
次に、図２〜図４を併せて参照しつつ、ネットワーク複合機１の動作について説明する。図２は、ネットワーク複合機１による電子メールのデコード処理の処理手順を示すフローチャートの前半部分である。図３は、ネットワーク複合機１による電子メールのデコード処理の処理手順を示すフローチャートの後半部分である。また、図４は、ネットワーク複合機１により受信されたエラーメールの一例を示す図である。
【００３１】
ステップＳ１００では、受信されたエラーメールに含まれるオリジナルメッセージの送信元が自機であるか否かを示す「自機メール返信検出フラグ」に「Ｎｏ」がセット（すなわち、例えば「０」がセット）される。また、エラーメール（電子メール）をデコードする際にエラーが発生したか否かを示す「デコードエラー検出フラグ」に「Ｎｏ」がセット（すなわち、例えば「０」がセット）される。
【００３２】
続いて、ステップＳ１０２では、デコード対象となるエラーメール（電子メール）のパートが読み込まれる。ここで、図４に例示されたエラーメールは、ＭＩＭＥに従ってマルチパート構造を有している。そのため、ヘッダ部２００には、このエラーメールがマルチパートであることを示す”Ｃｏｎｔｅｎｔ−Ｔｙｐｅ：  ｍｕｌｔｉｐａｒｔ／ｍｉｘｅｄ”という文字列が含まれるとともに、メールデータの構造の仕切りを示すバウンダリ（境界情報）が定義されている。なお、本実施形態では、バウンダリとして”＝＝＿ＬＤＦ３／ＡｖＦ１３ＫｂＫｑＮｓ＝／ＬＤＳ”という文字列が定義されている。ここで、図４に例示されたエラーメールは、バウンダリ２０６，２０８，２１０により、３つのパート、ヘッダ部２００、エラー情報部２０２、及びオリジナルメッセージ部２０４に仕切られている。そのため、バウンダリとして定義された文字列を検索することにより各パート２００，２０２，２０４を認識することができる。よって、ステップＳ１０２では、次に配置されているバウンダリを検索し、該バウンダリまでをデコード対象のパートとして読み込む。
【００３３】
次に、ステップＳ１０４において、ステップＳ１０２で読み込まれたパートが、オリジナルメッセージ部２０４であるか否かについての判断が行われる。より具体的には、該パートのサブヘッダに含まれているＣｏｎｔｅｎｔ−Ｔｙｐｅ（パートの種類を示す特定の文字列）が、”ｍｅｓｓａｇｅ／ｒｆｃ８２２”であるか否かに基づいて、該パートがオリジナルメッセージ部２０４であるか否かついての判断が行われる。ここで、ステップＳ１０４が肯定された場合、すなわち、該パートがオリジナルメッセージ部２０４である場合には、ステップＳ１０６に処理が移行する。一方、ステップＳ１０４が否定されたとき、すなわち該パートがオリジナルメッセージ部２０４でないときには、ステップＳ１１２に処理が移行する。
【００３４】
ステップＳ１０４において該パートがオリジナルメッセージ部２０４であると判断された場合、ステップＳ１０６において、Ｆｒｏｍフィールド（行）２１２が読み込まれる。そして、続くステップＳ１０８において、Ｆｒｏｍフィールド２１２に記載されているメールアドレスと自機のメールアドレスとが一致するか否かについての判断が行われる。ここで、Ｆｒｏｍフィールド２１２に記載されているメールアドレスと自機のメールアドレスとが一致する場合には、オリジナルメッセージが自機から送信されたものであると判断され、ステップＳ１１０において、エラーメールに含まれるオリジナルメッセージの送信元が自機であるか否かを示す「自機メール返信検出フラグ」に「Ｙｅｓ」がセット（すなわち、例えば「１」がセット）される。そして、その後、ステップＳ１１２に処理が移行する。一方、Ｆｒｏｍフィールドに記載されているメールアドレスと自機のメールアドレスとが一致しないときには、オリジナルメッセージが自機から送信されたものではないと判断され、そのまま、ステップＳ１１２に処理が移行する。
【００３５】
ステップＳ１１２では、電子メール（ステップＳ１０２で読み込まれたパート）のデコード処理が行われる。そして、続くステップＳ１１４において、デコード処理中にデコードエラーが発生したか否かについての判断が行われる。ここで、デコードエラーが発生した場合には、ステップＳ１１６において、エラーメールをデコードする際にエラーが発生したか否かを示す「デコードエラー検出フラグ」に「Ｙｅｓ」がセット（すなわち、例えば「１」がセット）される。そして、その後、ステップＳ１１８に処理が移行する。一方、デコードエラーが発生していないときには、そのまま、ステップＳ１２６に処理が移行する。
【００３６】
次に、ステップＳ１１８では、添付ファイルが有るか否かについての判断が行われる。ここで、添付ファイルが有る場合には、ステップＳ１２０に処理が移行する。一方、添付ファイルが無いときには、ステップＳ１２６に処理が移行する。
【００３７】
ステップＳ１１８において添付ファイルがあると判断された場合、ステップＳ１２０において、添付ファイルの形式が読み込まれる。そして、続くステップＳ１２２において、読み込まれた添付ファイルの形式が、自機で対応することができる形式であるか否かについての判断が行われる。ここで、添付ファイルが対応可能な形式である場合には、ステップＳ１２６に処理が移行する。一方、添付ファイルが対応不可能な形式であるときには、ステップＳ１２４において、「デコードエラー検出フラグ」に「Ｙｅｓ」がセット（すなわち、例えば「１」がセット）される。そして、その後、ステップＳ１２６に処理が移行する。
【００３８】
ステップＳ１２６では、「デコードエラー検出フラグ」に「Ｙｅｓ」がセットされているか否かに基づいて、デコードエラーが検出されたか否かについての判断が行われる。ここで、デコードエラーが検出された場合には、ステップＳ１３２に処理が移行する。一方、デコードエラーが検出されなかったときには、ステップＳ１２８に処理が移行する。
【００３９】
ステップＳ１２８では、エラーメールの最後のパートまでデコードが終了したか否かについての判断が行われる。ここで、最後のパートまでデコードが終了した場合には、ステップＳ１３０においてデコード済みのデータの処理が行われた後、本処理から抜ける。一方、最後のパートまでデコードが終了していないときには、ステップＳ１０２に処理が戻され、次のパートのデコード処理が行われる。そして、最後のパートまでデコード処理が行われるまで、上述したステップＳ１０２〜Ｓ１２８の処理が繰り返して実行される。
【００４０】
ステップＳ１２６においてデコードエラーが検出されたときには、ステップＳ１３２において、「自機メール返信検出フラグ」に「Ｙｅｓ」がセットされているか否かに基づいて、オリジナルメッセージが自機から送信されたものであるか否かについての判断が行われる。ここで、ステップＳ１３２が否定された場合、すなわち、オリジナルメッセージが自機から送信されたものではない場合には、ステップＳ１３４において、エラーメールの返信処理が実行される。そして、その後、本処理から抜ける。一方、ステップＳ１３２が肯定された場合、すなわち、オリジナルメッセージが自機から送信されたものである場合には、エラーメールの返信が行われることなく本処理から抜ける。
【００４１】
本実施形態によれば、受信されたエラーメールを処理する際にデコードエラーが検出された場合であっても、エラーメールに添付されたオリジナルメッセージの送信元が自機であるときにはエラーメールの返信が禁止される。そのため、自機とエラーメールの送信先との間でエラーメールのループが形成されることを防止することが可能となる。
【００４２】
一方、本実施形態によれば、デコードエラーが検出された場合において、オリジナルメッセージの送信元が自機でないときにはエラーメールが返信される。そのため、自機と送信先との間でエラーメールのループが形成されない場合には、電子メールの送信元に対して、電子メールが処理不能であることを通知することが可能となる。
【００４３】
本実施形態によれば、オリジナルメッセージの送信元のメールアドレスが抽出されるとともに、抽出されたメールアドレスと自機のメールアドレスとが比較され、オリジナルメッセージの送信元が自機であるか否かが判断される。そのため、オリジナルメッセージの送信元が自機であるか否かを的確に判断することが可能となる。
【００４４】
以上、本発明の実施の形態について説明したが、本発明は、上記実施形態に限定されるものではなく種々の変形が可能である。例えば、上記実施形態では、本発明をネットワーク複合機に適用した場合を例にして説明したが、本発明は、電子メール機能（又はＩＦＡＸ機能）が搭載されたネットワークファクシミリ装置、及び一般的なパーソナルコンピュータ等にも適用することができる。
【００４５】
また、図４に示したエラーメールは例示であり、その内容、構成、及びバウンダリの文字列等は、図４に示されたものに限られないことは言うまでもない。
【図面の簡単な説明】
【００４６】
【図１】実施形態に係るネットワーク複合機の構成を示すブロック図である。
【図２】実施形態に係るネットワーク複合機による電子メールのデコード処理の処理手順（前半部分）を示すフローチャートである。
【図３】実施形態に係るネットワーク複合機による電子メールのデコード処理の処理手順（後半部分）を示すフローチャートである。
【図４】実施形態に係るネットワーク複合機により受信されたエラーメールの一例を示す図である。
【符号の説明】
【００４７】
１  ネットワーク複合機
１０  制御部
１１  操作部
１２  表示部
１３  読取部
１４  記録部
１５  コーデック
１６  画像記憶部
１７  モデム
１８  ＮＣＵ
１９  ＩＦＡＸ制御部
１９Ａ  電子メール送受信部
１９Ｂ  電子メール処理部
１９Ｃ  エラー検出部
１９Ｄ  送信元抽出部
１９Ｅ  エラーメール返信部
２１  Ｗｅｂサーバ
２２  ＬＡＮインターフェース
３０  ルータ
５０  ＰＳＴＮ
５１  ＬＡＮ
５２  インターネット
【図１】
2009277123.tif 000003
【図２】
2009277123.tif 000004
【図３】
2009277123.tif 000005
【図４】
2009277123.tif 000006